(57)【要約】【課題】レンズ鏡筒が撮影距離を表示する目盛を備えていない場合であっても、撮影距離の把握が可能なカメラシステムを提供する。【解決手段】本発明のカメラ（２）は、光学系（１４，１５，１６）の撮影距離を検出する検出部（１９）と、前記検出部（１９）により検出された前記撮影距離を表示する表示部（７）と、を具備することを特徴とする。【選択図】図２
2010002823.tif 000002
【特許請求の範囲】
【請求項１】
光学系の撮影距離を検出する検出部と、
前記検出部により検出された前記撮影距離を表示する表示部と、
を具備することを特徴とするカメラ。
【請求項２】
請求項１に記載のカメラであって
前記表示部は、前記撮影距離を、スケールと指標とによって表示すること、
を特徴とするカメラ。
【請求項３】
請求項１または２に記載のカメラであって
前記表示部が、前記撮影距離とともに被写界深度を表示すること、
を特徴とするカメラ。
【請求項４】
請求項３に記載のカメラであって
前記光学系に設定される絞り値を検出する絞り値検出部を備え、
前記表示部は、絞り値に応じた前記被写界深度を表示すること、
を特徴とするカメラ。
【請求項５】
請求項３または４に記載のカメラであって
前記光学系の焦点距離を検出する手段を備え、前記表示部は、焦点距離に応じた前記被写界深度を表示すること、
を特徴とするカメラ。
【請求項６】
請求項３〜５のいずれか１項に記載のカメラであって
前記表示部は、前記被写界深度の範囲を表示すること、
を特徴とするカメラ。
【請求項７】
請求項１〜６のいずれかに記載のカメラと、
前記光学系を有するレンズ鏡筒と、を備えたカメラシステムであって、
前記検出は、前記光学系の基準位置からの駆動量に基づいて前記撮影距離を検出すること、
を特徴とするカメラシステム。
【請求項８】
請求項７に記載のカメラシステムであって、
前記基準位置が、前記光学系の焦点調節範囲の端部であること、
を特徴とするカメラシステム。
【発明の詳細な説明】
【技術分野】
【０００１】
本発明は、カメラ及びカメラシステムに関するものである。
【背景技術】
【０００２】
レリーズボタンの半押し操作により合焦した距離を表示するカメラがある（例えば特許文献１参照）。
【特許文献１】特開２００２−２５８３８３号公報
【発明の開示】
【発明が解決しようとする課題】
【０００３】
しかし、合焦した距離を表示するにすぎず、合焦していない状態での表示ができないという不都合があった。
本発明の課題は、使い勝手のよいカメラ及びカメラシステムを提供することである。
【課題を解決するための手段】
【０００４】
本発明は、以下のような解決手段により前記課題を解決する。なお、理解を容易にするために、本発明の実施形態に対応する符号を付して説明するが、これに限定されるものではない。
請求項１に記載の発明は、光学系（１４，１５，１６）の撮影距離を検出する検出部（１９）と、前記検出部（１９）により検出された前記撮影距離を表示する表示部（７）と、を具備することを特徴とするカメラ（２）である。
請求項２に記載の発明は、請求項１に記載のカメラ（２）であって、前記表示部（７）は、前記撮影距離を、スケール（３２）と指標（３１，３４）とによって表示すること、を特徴とするカメラ（２）である。
請求項３に記載の発明は、請求項１または２に記載のカメラ（２）であって、前記表示部（７）が、前記撮影距離とともに被写界深度（３３）を表示すること、を特徴とするカメラ（２）である。
請求項４に記載の発明は、請求項３に記載のカメラ（２）であって、前記光学系（１４，１５，１６）に設定される絞り値を検出する絞り値検出部（２１）を備え、前記表示部（７）は、前記絞り値（３５）に応じた前記被写界深度（３３）を表示すること、を特徴とするカメラ（２）である。
請求項５に記載の発明は、請求項３または４に記載のカメラ（２）であって、前記光学系（１４，１５，１６）の焦点距離を検出する手段（２２）を備え、前記表示部（７）は、焦点距離に応じた前記被写界深度（３３）を表示すること、を特徴とするカメラ（２）である。
請求項６に記載の発明は、請求項３〜５のいずれか１項に記載のカメラ（２）であって、前記表示部（７）は、前記被写界深度（３３）の範囲を表示すること、を特徴とするカメラ（２）である。
請求項７に記載の発明は、請求項１〜６のいずれかに記載のカメラ（２）と、前記光学系（１４，１５，１６）を有するレンズ鏡筒（３）とを備えたカメラシステム（１）であって、前記検出は、前記光学系（１４，１５，１６）の基準位置からの駆動量に基づいて前記撮影距離を検出すること、を特徴とするカメラシステム（１）である。
請求項８に記載の発明は、請求項７に記載のカメラシステム（１）であって、前記基準位置が、前記光学系（１４，１５，１６）の焦点調節範囲の端部であること、を特徴とするカメラシステム（１）である。
なお、符号を付して説明した構成は、適宜改良してもよく、また、少なくとも一部を他の構成物に代替してもよい。
【発明の効果】
【０００５】
本発明によれば、使い勝手のよいカメラ及びカメラシステムを提供することができる。
【発明を実施するための最良の形態】
【０００６】
以下、図面等を参照して、本発明の実施形態について説明する。なお、以下に示す各図には、説明と理解を容易にするために、ＸＹＺ直交座標系を設けた。この座標系では、撮影者が光軸Ａを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【０００７】
図１は本実施形態のカメラシステム１のブロック図である。カメラシステム１は、カメラ２と、レンズ鏡筒３とを備える。レンズ鏡筒３はカメラ２に対して着脱可能である。なお、本実施形態ではこのようにカメラ２と、そのカメラ２に対して着脱可能なレンズ鏡筒３とから構成されるカメラシステム１に本発明を適用する形態について説明するが、本発明はこれに限定されず、レンズ非着脱式のカメラに適用することもできる。
【０００８】
カメラ２及びレンズ鏡筒３は、それぞれの制御を行うカメラＣＰＵ８及びレンズＣＰＵ１３を備えている。カメラＣＰＵ８，レンズＣＰＵ１３はレンズ鏡筒３をカメラ２に装着した状態で互いに通信が可能となっている。
【０００９】
カメラ２の内部には、レンズ鏡筒３を通過した光を反射するメインミラー４が配置されている。メインミラー４はハーフミラーとなっており、その上方にはペンタプリズム５が配置され、ペンタプリズム５の後方にはファインダ６が配置されている。メインミラー４で反射された光束はペンタプリズム５を通過してファインダ６に導かれ、ファインダ６を通して被写体像を観察することができる。
【００１０】
メインミラー４の後側には、表示部７が設けられている。表示部７は液晶表示装置であり、メニュー画面、撮影画像や各種情報を表示することができる。表示部７の表示駆動は、カメラＣＰＵ８によって制御されている。カメラＣＰＵ８には、測光手段９、測距手段１０が接続されている。測光手段９は撮影時の露出を決定するための被写体の輝度を測定する。測距手段１０はデフォーカス量をレンズ鏡筒３の撮影光学系からの被写体像に基づいて測定する。これらの測定データはカメラＣＰＵ８に出力される。
【００１１】
図２はカメラ２の背面を示す。背面には、表示部７の周囲に各種の設定を行う設定スイッチ群２３，２４が配置され、さらに右側には、操作スイッチ２５が配置されている。ファインダ６は表示部７の上方に設けられている。
【００１２】
図１に戻り、レンズ鏡筒３の内部には、撮影光学系を構成する第１レンズ群１４、第２レンズ群１５、第３レンズ群１６が配置されている。第２レンズ群１５はフォーカスレンズ群である。また、第１レンズ群１４及び第３レンズ群１６はズームレンズ群である。第１レンズ群１４及び第３レンズ群１６は、レンズ鏡筒２に設けられた図示しないズーム操作環の回転により移動されてズーム操作が行われる。
【００１３】
レンズ鏡筒２は、レリーズボタンの半押し操作に応じて第２レンズ群１５を駆動するフォーカス駆動機構１８と、このフォーカス駆動機構１８による第２レンズ群１５の駆動量を検出する絶対距離検出部１９を備える。これらのフォーカス駆動機構１８及び絶対距離検出部１９はレンズＣＰＵ１３に接続されている。
【００１４】
絶対距離検出部１９は、図示を省略するが、レンズ鏡筒３の固定筒の円周方向に沿って設けられたエンコーダパターンと、第２レンズ群１５の移動に伴い回転する回転筒に設けられたブラシとを備える。フォーカス駆動機構１８により第２レンズ群１５駆動されると、その移動に伴い回転する回転筒に設けられたブラシがエンコーダパターンを滑り、第２レンズ群１５の基準位置からの駆動量が検出される。そして、基準位置を、例えば焦点調節範囲の端部である無限遠とすると、この無限遠からの第２レンズ群１５の駆動量が検出され、この駆動量から第２レンズ群１５の撮影距離を割り出すことができる。この絶対距離検出部１９により検出された撮影距離は、レンズＣＰＵ１３に出力される。なお、フォーカシングにおける第２レンズ群１５の直進移動距離を計測し、その直進移動距離に基づいて絶対距離を検出することも可能である。
【００１５】
レンズ鏡筒３は、さらに絞り部２０を備え、絞り部２０は、絞り値検出部２１に接続されている。撮影光学系の絞り値は、絞り値検出部２１によって検出されてレンズＣＰＵ１３に出力される。
【００１６】
また、レンズ鏡筒３は、焦点距離検出部２２を備える。焦点距離検出部２２は、第１レンズ群１４及び第３レンズ群１６の位置より焦点距離を検出し、レンズＣＰＵ１３に出力する。
【００１７】
これらの、絶対距離検出部１９により検出された撮影距離、絞り値検出部２１によって検出された絞り値、焦点距離検出部２２によって検出された焦点距離は、レンズＣＰＵ１３に出力され、レンズＣＰＵ１３からカメラＣＰＵ８に出力される。カメラＣＰＵ８は表示部７を制御し、表示部７は撮影距離を表示するとともに、絞り値及び撮影距離より求められる被写界深度３３を絞り値３５に応じて表示する。
【００１８】
次に、表示部７の表示例を説明する。図２の表示部７においては、合焦中心位置３１が三角図形によって表示されている。横軸は被写体までの距離を数値目盛り３４で示したスケール表示３２である。スケール表示３２においては、合焦中心位置３１との交点が被写体までの距離、すなわち撮影距離となる。このように表示部７に撮影距離を表示することにより、撮影時の参考とすることができ、使い勝手がよい。
【００１９】
本実施形態においては、撮影距離に加えて被写界深度３３を表示することもできる。被写界深度３３は合焦中心位置３１を含んだ合焦とみなせる範囲である。被写界深度３３は、スケール表示３２に対して図２に示すように斜線で示す帯状部として表示している。
【００２０】
図２において、符号３５は表示部７に表示されたカメラの絞り値である。絞り値３５としては、「５．６」、「１１」の２つが表示されており、それぞれの絞り値３５に対する被写界深度３３がそれぞれ帯状部として表示されている。短い帯状部は「５．６」の絞り値に対応した被写界深度であり、長い帯状部は「１１」の絞り値に対応した被写界深度であり、絞り値「５．６」の場合よりも広い範囲となっている。このように絞り値に対応して被写界深度を表示することにより、その絞り値に対応した撮影可能範囲を知ることができ、撮影に便利となる。なお、この被写界深度３３は、焦点距離や撮影距離によって異なるため、焦点距離検出部２２によって検出された焦点距離や撮影距離に応じて帯状部の幅は変更される。
【００２１】
次に、本実施形態の動作について説明する。まず、レンズ鏡筒３をカメラ２に装着する。これによりレンズＣＰＵ１３とカメラＣＰＵ８とが相互通信可能となる。ズーム操作環を回転させて第１レンズ群１４及び第３レンズ群１６を移動させ、所望のズーム状態にレンズ鏡筒２を調整する。このときの第１レンズ群１４及び第３レンズ群１６の位置は焦点距離検出部２２により検出されてレンズＣＰＵ１３にその検出結果が出力される。また、設定されている絞り部２０の絞り状態もレンズＣＰＵ１３に出力される。
【００２２】
この状態で、レリーズボタンを押すと、レンズ鏡筒３のレンズ群１４，１５，１６を通過した被写体光がカメラ２に入射する。入射光の一部は、測距手段１０に入射し、測距手段１０で第２レンズ群１５の駆動量が算出される。この駆動量はカメラＣＰＵ８を介してレンズＣＰＵ１３に出力され、レンズＣＰＵ１３はフォーカス駆動機構１８を駆動して、第２レンズ群１５を駆動する。絶対距離検出部１９は、第２レンズ群１５の駆動量に基づいて撮影距離を検出する。検出された撮影距離は、レンズＣＰＵ１３に出力される。
【００２３】
これらの焦点距離、絞り値、撮影距離の情報は、レンズＣＰＵ１３からカメラＣＰＵ８に送信される。カメラＣＰＵ８は表示部７を制御してスケール表示３２からなる撮影距離を表示する。これと同時に、焦点距離、絞り値及び撮影距離より求められる被写界深度３３を絞り値３５に応じて表示する。
【００２４】
以上、本実施形態によると、以下の効果を有する。
（１）被写体との撮影距離をカメラの表示部７に表示するため、撮影距離目盛の表示機能を備えていないレンズ鏡筒３であっても撮影距離を把握することができ、使い勝手がよい。また、レンズ鏡筒３に、撮影距離目盛の表示機能を備える必要がないため、レンズ鏡筒３の構造が簡単となる。
（２）撮影距離に加えて被写界深度３３を表示することができるため、合焦範囲を知ることができ、撮影に便利となる。
（３）撮影距離に加えて絞り値３５を表示するため、絞り値に応じた合焦範囲を知ることができる。
【００２５】
（変形形態）
以上、説明した実施形態に限定されることなく、以下に示すような種々の変形や変更が可能であり、それらも本発明の範囲内である。
（１）本実施形態では、撮影距離を直線に目盛りを付けたスケール表示で表している。しかし、これに限らず、絶対距離を他の図形によって表示してもよい。
（２）また、本実施形態では、被写界深度３３及び絞り値３５を表示しているが、これらの表示を省いてもよい。
なお、実施形態及び変形形態は、適宜組み合わせて用いることもできるが、詳細な説明は省略する。また、本発明は以上説明した実施形態によって限定されることはない。
【図面の簡単な説明】
【００２６】
【図１】第１実施形態のカメラシステムを示すブロック図である。
【図２】カメラの背面図である。
【符号の説明】
【００２７】
１：カメラシステム、２：カメラ、３：レンズ鏡筒、１３：レンズＣＰＵ、１５：フォーカスレンズ群、１８：フォーカス駆動機構、１９：絶対距離検出部、３１：合
焦位置、３２：スケール表示、３３：被写界深度、３５：絞り値
【図１】
2010002823.tif 000003
【図２】
2010002823.tif 000004